(57)【要約】【課題】複数種類のいずれのモニタにおいても画面ぶれを抑えた良好な画質の再生映像を得ることができる映像再生装置を提供する。【解決手段】制御部１２がモニタ２００からモニタの表示方式を表す情報であるモニタ情報を取得し、ＤＶＤ再生の際、シャープネス処理部８は、コーデック７から入力される映像データに対して上記取得されたモニタ情報に応じたシャープネスでシャープネス処理を行い、シャープネス処理後の映像データがＨＤＭＩ送受信部９、ＨＤＭＩ端子１０を介してモニタ２００に出力される。【選択図】図１
2008278115.tif 000002
【特許請求の範囲】
【請求項１】
モニタの表示方式を表す情報であるモニタ情報を取得するモニタ情報取得手段と、記録媒体から再生された映像データに基づく映像データに対して前記取得されたモニタ情報に応じたシャープネスでシャープネス処理を行うシャープネス処理手段と、前記シャープネス処理手段によりシャープネス処理された映像データに基づく映像データをモニタに出力する映像データ出力手段と、を備えることを特徴とする映像再生装置。
【請求項２】
前記モニタ情報取得手段は、前記モニタ情報を前記モニタから取得することを特徴とする請求項１に記載の映像再生装置。
【請求項３】
前記シャープネス処理手段は、前記取得されたモニタ情報が液晶方式を表している場合、前記取得されたモニタ情報がプラズマ方式を表している場合よりもシャープネスを緩和してシャープネス処理を行うことを特徴とする請求項１または請求項２に記載の映像再生装置。
【請求項４】
前記映像データ出力手段は、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）変換手段とＨＤＭＩ端子とを有し、前記シャープネス処理手段によりシャープネス処理された映像データに基づく映像データを前記ＨＤＭＩ変換手段がＨＤＭＩフォーマットの映像データに変換し、変換後の映像データは前記ＨＤＭＩ端子およびＨＤＭＩケーブルを介して前記モニタに出力され、
前記モニタ情報取得手段は、前記モニタから前記ＨＤＭＩケーブルおよび前記ＨＤＭＩ端子を介して前記モニタ情報を取得することを特徴とする請求項１〜請求項３のいずれかに記載の映像再生装置。
【請求項５】
前記ＨＤＭＩ端子が有するホットプラグ検出端子に印加される電圧がローレベルからハイレベルになったことを検知する検知手段を備え、該検知後、前記モニタ情報取得手段が前記モニタ情報を取得することを特徴とする請求項４に記載の映像再生装置。
【請求項６】
電源がオンとされると前記ＨＤＭＩ端子が有するホットプラグ検出端子に印加される電圧を確認する確認手段を備え、電圧がハイレベルであることを前記確認手段が確認すると、前記モニタ情報取得手段が前記モニタ情報を取得することを特徴とする請求項４または請求項５に記載の映像再生装置。
【発明の詳細な説明】
【技術分野】
【０００１】
本発明は、映像再生装置に関するものである。
【背景技術】
【０００２】
従来より、ＤＶＤレコーダ、ＤＶＤプレーヤ、ハードディスクレコーダ等、様々な映像再生装置が開発されているが、これらの映像再生装置には画質向上のため、再生された映像信号に対してシャープネス処理を行ってから外部のモニタに映像信号を出力するものも開発されている。
【特許文献１】特開２００６−３１９５０３号公報
【特許文献２】再公表２００５／０１５９０１号公報
【発明の開示】
【発明が解決しようとする課題】
【０００３】
ここで、上記従来の映像再生装置に接続させるモニタとしては、現在、薄型モニタである液晶モニタ、プラズマモニタが主流となってきている。従来の映像再生装置にプラズマモニタが接続された状態での映像再生時は、プラズマモニタが高速応答性に優れるため、上記のようなシャープネス処理によってプラズマモニタに表示される映像は画面ぶれが生じることなく良好な階調の映像となる。しかし、従来の映像再生装置に液晶モニタが接続された状態での映像再生時は、液晶モニタが高速応答性に劣るため、プラズマモニタの場合と同様のシャープネス処理を行うと液晶モニタに表示される映像に画面ぶれが生じてしまうという問題点があった。
【０００４】
なお、特許文献１には、記録媒体から再生された映像信号をＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）フォーマットの映像信号に変換し、変換された映像信号の所定の位置に再生された映像信号のアスペクト比を記録してモニタに映像信号を出力することで、無駄な情報を伝送することなくモニタに映像信号のアスペクト比の変化を通知できるとした映像再生装置が開示されているが、本映像再生装置は上記のようなシャープネス処理による画面ぶれ発生の問題を解決できるものではない。
【０００５】
また、特許文献２には、再生課金フラグ検出回路を備え、ＨＤＤ（ハードディスクドライブ）から再生された再生データに再生課金フラグが検出されなかった場合は、自身で分離・デコード処理を再生データに対して行った後、処理後のデータをＨＤＭＩラインでテレビジョンに伝送しテレビジョンに映像を表示させ、再生データに再生課金フラグが検出された場合は、ＩＥＥＥ１３９４ラインでテレビジョンに再生データを伝送し、テレビジョンにデスクランブル処理、分離・デコード処理をさせて映像を表示させるような構成として、通常のデータと再生課金対応データとを連続して再生することができるとした映像再生装置が開示されているが、本映像再生装置も上記のようなシャープネス処理による画面ぶれ発生の問題を解決できるものではない。
【０００６】
上記問題点を鑑み、本発明は、複数種類のいずれのモニタにおいても画面ぶれを抑えた良好な画質の再生映像を得ることができる映像再生装置を提供することを目的とする。
【課題を解決するための手段】
【０００７】
上記目的を達成するために本発明の映像再生装置は、モニタの表示方式を表す情報であるモニタ情報を取得するモニタ情報取得手段と、記録媒体から再生された映像データに基づく映像データに対して前記取得されたモニタ情報に応じたシャープネスでシャープネス処理を行うシャープネス処理手段と、前記シャープネス処理手段によりシャープネス処理された映像データに基づく映像データを前記モニタに出力する映像データ出力手段と、を備える構成としている。
【０００８】
このような構成によれば、複数種類のいずれのモニタにおいても画面ぶれを抑えた良好な画質の再生映像を得ることができる。
【０００９】
また、本発明の映像再生装置は、上記構成において、前記モニタ情報取得手段は、前記モニタ情報を前記モニタから取得するような構成にするとよい。
【００１０】
また、本発明の映像再生装置は、上記構成において、前記シャープネス処理手段は、前記取得されたモニタ情報が液晶方式を表している場合、前記取得されたモニタ情報がプラズマ方式を表している場合よりもシャープネスを緩和してシャープネス処理を行うような構成にするとよい。
【００１１】
このような構成によれば、液晶モニタ、プラズマモニタいずれにおいても画面ぶれを抑えた良好な画質の再生映像を得ることができる。
【００１２】
また、本発明の映像再生装置は、上記構成において、前記映像データ出力手段は、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）変換手段とＨＤＭＩ端子とを有し、前記シャープネス処理手段によりシャープネス処理された映像データに基づく映像データを前記ＨＤＭＩ変換手段がＨＤＭＩフォーマットの映像データに変換し、変換後の映像データは前記ＨＤＭＩ端子およびＨＤＭＩケーブルを介して前記モニタに出力され、前記モニタ情報取得手段は、前記モニタから前記ＨＤＭＩケーブルおよび前記ＨＤＭＩ端子を介して前記モニタ情報を取得するような構成にするとよい。
【００１３】
このような構成によれば、映像データの出力、モニタ情報の取得が１本のＨＤＭＩケーブルで行えるので配線を簡略化できる。
【００１４】
また、本発明の映像再生装置は、上記構成において、前記ＨＤＭＩ端子が有するホットプラグ検出端子に印加される電圧がローレベルからハイレベルになったことを検知する検知手段を備え、該検知後、前記モニタ情報取得手段が前記モニタ情報を取得するような構成にするとよい。
【００１５】
このような構成によれば、ＨＤＭＩケーブルにより映像再生装置とモニタとを接続すると自動的にモニタ情報を取得できるので、ユーザにとって取得操作が不要であり利便性が向上する。
【００１６】
また、本発明の映像再生装置は、上記構成において、電源がオンとされると前記ＨＤＭＩ端子が有するホットプラグ検出端子に印加される電圧を確認する確認手段を備え、電圧がハイレベルであることを前記確認手段が確認すると、前記モニタ情報取得手段が前記モニタ情報を取得するような構成にするとよい。
【００１７】
このような構成によれば、ＨＤＭＩケーブルにより映像再生装置とモニタとを接続した状態で電源をオンとすると自動的にモニタ情報を取得できるので、ユーザにとって取得操作が不要であり利便性が向上する。
【発明の効果】
【００１８】
本発明の映像再生装置によれば、複数種類のいずれのモニタにおいても画面ぶれを抑えた良好な画質の再生映像を得ることができる。
【発明を実施するための最良の形態】
【００１９】
以下、本発明に係る実施形態について図面を参照して説明する。ここでは、ＤＶＤレコーダを例として説明する。
【００２０】
図１に、本発明に係るＤＶＤレコーダの概略構成図を示す。図１に示すように、本発明に係るＤＶＤレコーダ１００は、チューナ２と、デジタル復調部３と、エラー訂正部４と、データ分離部５と、デコード部６と、コーデック７と、シャープネス処理部８と、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）送受信部９と、ＨＤＭＩ端子１０と、ＤＶＤ記録再生部１１と、制御部１２と、リモコン受信部１３とを備えている。また、チューナ２にはアンテナ１が接続される。
【００２１】
アンテナ１は、デジタル放送の放送電波を受信し放送電波を高周波信号に変換してチューナ２に出力する。チューナ２は、アンテナ１から入力される高周波信号から所望の周波数の高周波信号を抽出し、抽出された高周波信号を周波数変換して中間周波信号を生成し、生成された中間周波信号をデジタル復調部３に出力する。デジタル復調部３は、チューナ２から入力された中間周波信号に対してデジタル復調を行い、トランスポートストリームをエラー訂正部４に出力する。エラー訂正部４は、デジタル復調部３から入力されたトランスポートストリームに対してエラー訂正を行い、エラー訂正されたトランスポートストリームをデータ分離部５に出力する。
【００２２】
データ分離部５は、エラー訂正部４から入力されたトランスポートストリームから映像データを分離しデコード部６に出力する。デコード部６は、データ分離部５から入力された映像データをデコードしデコードされた映像データをコーデック７に出力する。コーデック７は、デコード部６から入力された映像データを圧縮符号化し圧縮符号化された映像データをＤＶＤ記録再生部１１に出力し、ＤＶＤ記録再生部１１が圧縮符号化された映像データをＤＶＤに記録させる。
【００２３】
また、ＤＶＤ記録再生部１１はＤＶＤから圧縮符号化された映像データを再生しコーデック７に出力する。コーデック７は、ＤＶＤ記録再生部１１から入力された圧縮符号化された映像データを伸長復号化し伸長復号化された映像データをシャープネス処理部８に出力する。シャープネス処理部８は、コーデック７から入力された映像データに対してシャープネス処理を行い、処理後の映像データをＨＤＭＩ送受信部９に出力する。ＨＤＭＩ送受信部９は、シャープネス処理部８から入力された映像データをＨＤＭＩフォーマットの映像データに変換し変換後の映像データをＨＤＭＩ端子１０に出力する。
【００２４】
ここで、ＨＤＭＩ端子１０はモニタ２００が有するＨＤＭＩ端子１４とＨＤＭＩケーブルにより接続される。図２に、本発明に係るＤＶＤレコーダとモニタとの接続に関する説明図を示す。ＨＤＭＩ端子１０は、本発明に係るＤＶＤレコーダ１００の例えば背面に配置され、ＨＤＭＩケーブル３００の一端がＨＤＭＩ端子１０に接続される。また、ＨＤＭＩ端子１４は、モニタ２００の例えば背面に配置され、ＨＤＭＩケーブル３００の他端がＨＤＭＩ端子１４に接続される。ＨＤＭＩを適用することで、１本のＨＤＭＩケーブルで映像・音声・制御信号を送受信可能となるので、配線を簡略化できる。
【００２５】
ＨＤＭＩ送受信部９が出力した映像データは、ＨＤＭＩ端子１０およびＨＤＭＩケーブル３００を介してモニタ２００のＨＤＭＩ端子１４に入力される。これにより、モニタ２００に再生映像が表示される。
【００２６】
また、リモコン受信部１３は、不図示のリモコンから赤外線信号を受信し、リモコン操作に応じたコード信号を制御部１２に出力する。
【００２７】
次に、本発明に係るＤＶＤレコーダのシャープネス処理部設定動作について図３のフローチャートを用いて説明する。
【００２８】
本発明に係るＤＶＤレコーダ１００の電源がオンの状態でＨＤＭＩ端子１０とモニタ２００のＨＤＭＩ端子１４とがＨＤＭＩケーブル３００により接続されると、ＨＤＭＩ端子１０が有するホットプラグ検出端子に印加される電圧がローレベルからハイレベルとなり、これを制御部１２が検知する（ステップＳ３１）。
【００２９】
すると、制御部１２は、ＨＤＭＩ送受信部９、ＨＤＭＩ端子１０およびＨＤＭＩケーブル３００を介してモニタ２００にモニタ情報を要求する（ステップＳ３２）。ここで、モニタ情報とはモニタの表示方式を表す情報であり、モニタ２００が液晶モニタであれば液晶方式を表すモニタ情報がモニタ２００に予め格納され、モニタ２００がプラズマモニタであればプラズマ方式を表すモニタ情報がモニタ２００に予め格納される。
【００３０】
モニタ２００はモニタ情報の要求を受け、自身に格納されるモニタ情報をＨＤＭＩ端子１４から出力する。そして、制御部１２は、ＨＤＭＩケーブル３００、ＨＤＭＩ端子１０、ＨＤＭＩ送受信部９を介してモニタ２００からモニタ情報を取得する（ステップＳ３３）。
【００３１】
そして、制御部１２は、ステップＳ３３で取得されたモニタ情報が液晶方式、プラズマ方式のいずれを表しているか判定する（ステップＳ３４）。もし、モニタ情報が液晶方式を表している場合は、制御部１２は、モニタ情報がプラズマ方式を表す場合よりもシャープネスを緩和してシャープネス処理を行うようシャープネス処理部８を設定する（ステップＳ３５）。また、もし、モニタ情報がプラズマ方式を表している場合は、制御部１２は、モニタ情報が液晶方式を表す場合よりもシャープネスを強調してシャープネス処理を行うようシャープネス処理部８を設定する（ステップＳ３６）。
【００３２】
このように、ＨＤＭＩケーブル３００でＤＶＤレコーダ１００とモニタ２００とを接続すると自動的にモニタ情報が取得されるのでユーザにとって取得操作が不要で利便性が高い。
【００３３】
また、ＨＤＭＩケーブル３００でＤＶＤレコーダ１００とモニタ２００とが予め接続された状態でＤＶＤレコーダ１００の電源がオンとされた場合は、制御部１２はＨＤＭＩ端子１０が有するホットプラグ検出端子に印加される電圧を確認し電圧がハイレベルであることを確認すると、図３のフローチャートにおけるステップＳ３２以降の動作が行われシャープネス処理部が設定される。このように、ＤＶＤレコーダ１００の電源をオンとすると自動的にモニタ情報が取得されるのでユーザにとって取得操作が不要で利便性が高い。
【００３４】
上記のようなシャープネス処理部設定動作の後、不図示のリモコンにおいて再生開始操作がされると、リモコン受信部１３はリモコンから赤外線信号を受信し再生開始操作に応じたコード信号を制御部１２に出力する。すると、制御部１２はＤＶＤ記録再生部１１にＤＶＤの再生を開始させる。コーデック７は、ＤＶＤ記録再生部１１が再生した圧縮符号化された映像データを伸長復号化しシャープネス処理部８に出力する。シャープネス処理部８は、コーデック７から入力された映像データに対して上記設定に応じてシャープネス処理を行い、処理後の映像データをＨＤＭＩ送受信部９に出力する。そして、ＨＤＭＩ送受信部９はシャープネス処理部８から入力された映像データをＨＤＭＩフォーマットの映像データに変換し、変換後の映像データをＨＤＭＩ端子１０およびＨＤＭＩケーブル３００を介してモニタ２００に出力する。これにより、モニタ２００に再生映像が表示される。
【００３５】
モニタ２００が液晶モニタである場合、液晶モニタは高速応答性に劣るが、シャープネスが緩和されているので、再生映像の画面ぶれを目立たなくすることができる。また、モニタ２００がプラズマモニタである場合は、プラズマモニタは高速応答性に優れるため、シャープネスが強調されても画面ぶれは発生せず、良好な階調の再生映像が得られる。このように本発明によれば、液晶モニタ、プラズマモニタのいずれでも画面ぶれを抑えた良好な画質の再生映像を得ることができる。
【００３６】
なお、本実施形態ではＤＶＤレコーダを例として説明したが、本発明はこれに限らずＤＶＤプレーヤ、ハードディスクレコーダ、ＶＣＲ等のあらゆる映像再生装置に適用可能である。
【図面の簡単な説明】
【００３７】
【図１】は、本発明に係るＤＶＤレコーダの概略構成図である。
【図２】は、本発明に係るＤＶＤレコーダとモニタとの接続を説明する図である。
【図３】は、本発明に係るＤＶＤレコーダにおけるシャープネス処理部設定動作に関するフローチャートである。
【符号の説明】
【００３８】
１    アンテナ
２    チューナ
３    デジタル復調部
４    エラー訂正部
５    データ分離部
６    デコード部
７    コーデック
８    シャープネス処理部
９    ＨＤＭＩ送受信部
１０    ＨＤＭＩ端子
１１    ＤＶＤ記録再生部
１２    制御部
１３    リモコン受信部
１４    ＨＤＭＩ端子
１００    ＤＶＤレコーダ
２００    モニタ
３００    ＨＤＭＩケーブル
【図１】
2008278115.tif 000003
【図２】
2008278115.tif 000004
【図３】
2008278115.tif 000005